(57)【要約】      （修正有）【課題】パチンコ・パチスロ機等の中枢部である電子回路等を収容する回路収容箱への不正行為で、ホールの経営者達に莫大な損害があるだけでなく、善良な遊技機愛好者も間接的に大きな影響を受けている。このような遊技機への不正行為とホール経営者達の損害を確実に軽減し、遊技機業界への信頼度を高めその健全性を向上させるための光ファイバー利用による異常監視システムの提供。【解決手段】回路収容箱５を巻回した監視用光ファイバー５０が固定箱１０の中の固定金具２０で固定され、固定箱１０・上蓋３０・通信光ファイバー支持体４０とで構成される検出箱１の中で、制御回路６０を備えた制御装置６からの送光ファイバー４１および受光ファイバー４２と光的結合し、異常を検出し、制御装置６は終端装置８０を通じてホールコンピュータ１００と接続され、回路収容箱５の不正な開箱の有無を検知する光ファイバーによる異常監視システム。【選択図】図１
2007222579.tif 000002
【特許請求の範囲】
【請求項１】
電子回路等を収容する回路収容箱（以下、回路収容箱という）の開箱の有無を検知する異常監視システムであって、回路収容箱の周囲を巻回する封止線材としての監視用光ファイバーと、監視用光ファイバーの切断等の異常により監視用光ファイバーの内部を通過する光信号が正常に帰還しなくなることで回路収容箱の開箱の有無を検出する検出部を設けた検出箱（以下、検出箱という）と、近赤外発光素子・近赤外受光素子・発光電圧発生回路・変調周波数発振回路・変調回路・復調比較回路・電源監視回路・判定信号発生回路・インターフェイス回路を設けた制御装置（以下、制御装置という）と、検出箱と制御装置間との通信線としてとしての送光ファイバーおよび受光ファイバーを、設けてあることを特徴とする光ファイバーによる異常監視システム。
【請求項２】
請求項１において、検出箱は固定箱と上蓋と通信光ファイバー支持体から構成されている。固定箱は固定金具装填室と固定金具と凸状部１を有し、封止のために回路収容箱を巻回させた監視用光ファイバーの始端部および終端部を圧迫固定するための構造体であり、その側面に上蓋との嵌合のための嵌合爪１を有する。
通信光ファイバー支持体は制御装置との通信を行う目的の通信光ファイバーの送光端と受光端を支持すると共に、通信光ファイバー支持体を構成する凸状部２をして前記凸状部１との間に監視用光ファイバーを圧迫固定する構造体を構成させて監視用光ファイバーの先端部の固定と、通信光ファイバーとの線芯を一直線に保持する機能を有することを特徴とする光ファイバーによる異常監視システム。
【請求項３】
請求項２において、上蓋は通信光ファイバー支持部を接着一体化した形で、言わば上蓋兼通信用光ファイバー支持体として固定箱を覆うもので、設けられた嵌合孔と固定箱に取付けられた嵌合爪の嵌合によって検出箱の開箱や分解を困難にし、無理やり開箱された場合でも上蓋は通信光ファイバー支持部と一体化されているので、監視用光ファイバーと通信光ファイバーとの光的結合は粗状態となり、回路収容箱の開箱の有無を検知できることを特徴とする光ファイバーによる異常監視システム。
【請求項４】
請求項２において、固定金具は回路収容箱の周囲を巻回する監視用光ファイバーの緩みを防止し強固に緊縛するために、事務用金属クリップに監視用光ファイバー挿入孔と固定凹部を設けたことを特徴とする光ファイバーによる異常監視システム。
【発明の詳細な説明】
【技術分野】
【０００１】本発明は電子回路等を収容する回路収容箱（以下、回路収容箱という）の不正な開箱の有無を検知する光ファイバーによる異常監視システムに関する。
【背景技術】
【０００２】パチンコ・パチスロ等の遊技機は、その作動の中心的な制御を機械的なものからマイクロコンピュータを使用した電子的なものに変化している。この電子回路には制御プログラムを格納するメモリーが搭載されており、そのメモリーを交換したり内容を書き換えたりする行為が発生した場合、その事象を確認すべく特殊ネジを利用した機械的な封印「カシメ構造」やメーカー名を記した「封印シール」の貼付や「電気的な閉回路を備えた粘着式封止シール」や「多芯ケーブルの巻回による封止」などが利用されている。【０００３】特殊ネジを利用した機械的な封印「カシメ構造」やメーカー名を記した「封印シール」では問題が発生したことを確認するには、目視点検に依存することとなり，点検確認の精度は実行する検査員の個人的技量の差異により検査結果の信頼性が異なる可能性が極めて大きい。また検査した時刻が異常発見時刻となり異常を起こさせた行為がいつ行われたかを特定することが出来ないため、不正行為等の犯罪を抑止する力が乏しい。最近はこれらのメモリー等を搭載した電気回路等の収容箱ごと交換されるまでに至っている。これでは何らの証拠も残らないことになる。【０００４】このような事象を電気的に監視する手段として、粘着式の封止シールに電気的な閉回路を印刷技術によって設けた「電気的な閉回路を備えた粘着式封止シール」を剥離または切断された状態を異常発生と認識するものや、「多芯ケーブルの巻回による封止」などがあるが、以下の問題を解決する必要がある。【０００５】
【特許文献１】特願平１０−０９５６７２
【特許文献２】特願平１０−１１２０８６
【特許文献３】特願平１０−１２８９９２
【特許文献４】特願平１０−１９５３６２
【特許文献５】特願２００１−３０１９５
【特許文献６】特公２００４−２２２８９４
【発明の開示】
【発明が解決しようとする課題】
【０００６】特殊ネジを利用した機械的な封印「カシメ構造」やメーカー名を記した「封印シール」などを利用した場合は目視点検に依存することになり、不正行為を確実に検出することが困難である。【０００７】パチンコ・パチスロ等遊技機は稼動時と非稼動時ではその機械を構成している機材の温度差が大きく、そこに貼付された「電気的な閉回路を備えた粘着式封止シール」のセンサー部すなわち粘着貼付面が温度変化による膨張力・収縮力に耐え切れず自己断線することがある。【０００８】遊技機からパチンコ玉が落下し「電気的な閉回路を備えた粘着式封止シール」に直接当たった場合、急激な圧力が粘着貼付面にかかり自己断線する。【０００９】貼付される側の材質との相性によっては、時間の経過とともに「電気的な閉回路を備えた粘着式封止シール」が自然剥離する可能性がある。これは貼付面が金属である場合に多く見られる。【００１０】「多芯ケーブルの巻回による封止」の場合、電気的な特性から多芯ケーブルにピンや針状のものを差し込まれたり、多芯ケーブルの外皮を剥離して線間を短絡させることによって封止線材のラインが正常な接続状態にあるのと等価な「偽装回路」が形成され、封止線材を切断したり除外しても異常を検出することが出来なくなり、異常検知の回避手段として不正利用される可能性がある。
【課題を解決するための手段】
【００１１】本発明は電子回路等を収容する回路収容箱（以下、回路収容箱という）の開箱の有無を検知する異常監視システムであって、回路収容箱の周囲を巻回する封止線材としての監視用光ファイバーと、監視用光ファイバーの切断等の異常により監視用光ファイバーの内部を通過する光信号が正常に帰還しなくなることで回路収容箱の開箱の有無を検出する検出部を設けた検出箱（以下、検出箱という）と、近赤外光発光素子・近赤外光受光素子・発光電圧発生回路・変調周波数発振回路・変調回路・復調比較回路・電源監視回路・判定信号発生回路・インターフェイス回路を設けた制御装置（以下、制御装置という）と、検出箱と制御装置間との通信線としてとしての通信光ファイバーを、設けてあることを特徴とする光ファイバーによる異常監視システムにある。【００１２】本発明において、検出箱は固定箱と上蓋と通信光ファイバー支持体から構成されている。固定箱は固定金具装填室と固定金具と凸状部１を有し、封止のために回路収容箱を巻回させた監視用光ファイバーの始端部および終端部を圧迫固定するための構造体であり、その側面に上蓋との嵌合のための嵌合爪を有する。
通信光ファイバー支持体は制御装置との通信を行う目的の通信用光ファイバーの送光端と受光端を支持すると共に、通信光ファイバー支持体を構成する凸状部２をして前記凸状部１との間に監視用光ファイバーを圧迫固定する構造体を構成させて監視用光ファイバーの先端部の固定と、通信光ファイバーとの線芯を一直線に保持する機能を有することを特徴とする光ファイバーによる異常監視システムにある。【００１３】本発明は機械的な封印「カシメ構造」や、メーカー名を記した「封印シール」における目視点検の必要性を無くし、「電気的な閉回路を備えた粘着式封止シール」における剥離や自己断線による監視の不確実性を排除し、「多芯ケーブル等の電線」における「偽装回路」の形成を不可能にする光ファイバーを利用した異常監視システムであって、回路収容箱を巻回する封止線材として監視用光ファイバーを、検出箱から制御部への通信線として通信光ファイバーを使用していることを特徴とする光ファイバーによる異常監視システムにある。【００１４】本発明は金属製事務用クリップに監視用光ファイバーの挿入孔と固定凹部を設けた固定金具を利用し、巻回した監視用光ファイバーが不正に外されないように、回路収容箱を巻回する封止線材としての監視用光ファイバーによる緊縛を強固に固定することができる。【００１５】本発明は監視用光ファイバー固定箱の固定金具で固定された監視用光ファイバーの始端部と終端部とは、通信光ファイバー支持部の通信光ファイバーの送光ファイバー、受光ファイバーと光的結合しており、監視用光ファイバーを外すために無理やり引張ったり、検出箱から引抜いたりすれば光的結合が粗になり、異常開箱として検出されることを特徴とする光ファイバーよる異常監視システムにある。【００１６】本発明は検出箱の上蓋と通信光ファイバー支持部が一体化されているため、不正に上蓋が開けられた場合は上記の光的結合が切断されてしまうので、異常開箱として検出されることを特徴とする光ファイバーによる異常監視システムにある。【００１７】回路収容箱を搭載する遊技機の特定部位たとえば回路収容箱を固定している柱状の部位や、周囲の格子状物・輪状物・穴・などに、監視用光ファイバーを巻き込んで封止すると、回路収容箱の開箱だけではなく回路収容箱自体の取り外しをも監視することが出来る。【００１８】光ファイバーは非常に細く引張り強度が高く柔軟性に富んでいるので、パチスロ機の回路収容箱のように事前にパチスロ機本体と固定され周囲との空間が狭い場合においても、わずかな隙間や穴などを通して回路収容箱を封止することが可能となり、複雑な内部構造のため監視の難しいパチスロ機等の回路収容箱の異常開箱も検知できる。
【発明の効果】
【００１９】特殊ネジを利用した機械的な封印「カシメ構造」やメーカー名を記した「封印シール」における目視点検が不要となり、「電気的な閉回路を備えた粘着式封止シール」における温度差やパチンコ玉の落下による急激な圧力で起きる自己断線や、時間経過や風力による共振運動で起きる自然剥離などの欠点を除去し回路収容箱の異常開箱を監視することができる。【００２０】細く引張り強度が高く柔軟性に富む光ファイバーを利用することにより、パチンコ機はもとより「電気的な閉回路を備えた粘着式封止シール」の貼付が困難なパチスロ機等においても、また「多芯ケーブル等の電線」の厚さや太さが原因して巻回することを通すことが出来ない場合でも、遊技機本体と回路収容箱との極めてわずかな隙間や小さな穴等に通すことが出来るため回路収容箱の異常開箱を監視することができる。【００２１】光ファイバーを利用することによって、「多芯ケーブル等の電線」における電気的な特性による「偽装回路」の形成による不正行為の可能性を除去することが出来、回路収容箱の監視の精度を向上させることが可能となった。
【発明を実施するための最良の形態】
【実施例】
【００２２】以下、本発明の実施の形態を図１〜図１６に基づいて説明する。【００２３】まず図１において、概略を説明する。
５回路収容箱を巻回した５０監視用光ファイバーが１０固定箱の中の２０固定金具で固定され、１０固定箱・３０上蓋・４０通信光ファイバー支持体とで構成される１検出箱の中で、６０制御回路を備えた６制御装置からの４１送光ファイバーおよび４２受光ファイバーと光的結合し異常を検出することができ、６制御装置によって光信号は電気信号に変換され８０ホールコンピュータ終端装置を通じて１００ホールコンピュータと接続され、５回路収容箱の不正な開箱の有無を検知する光ファイバーによる異常監視システムとして機能することになる。【００２４】図２において、１検出箱に一端を固定した５０監視用光ファイバーを、７２周囲の構造物の７３開口部を通して５回路収容箱に巻回し、その終端部を１検出箱に戻し固定することで５回路収容箱の不正な開箱の有無と取外しを監視する。【００２５】図３において、５０監視用光ファイバーはその一端を１０固定箱の１１光ファイバー挿入孔１から挿入し金属製事務用クリップを利用した２０固定金具の２３光ファイバー挿入孔３を通過し２５開口部１より引き出し、また同様にしてもう一端を１０固定箱の１２光ファイバー挿入孔２に挿入し、２４光ファイバー挿入孔４を通過し２６開口部２より引き出す。【００２６】図４において、図３で２５開口部１へ引き出した５０監視用光ファイバーを図５の２０固定金具の上部にある２７光ファイバー保持部１へ滑り込ませ２１光ファイバー固定凹部１で留める。また同様にして２６開口部２へ引き出した５０監視用光ファイバーを図５の２０固定金具の上部にある２８光ファイバー保持部２へ滑り込ませ２２光ファイバー固定凹部２にて留める。このときに使用した２０固定金具の詳細は図５、図６に示されるとおりである。【００２７】図７において、図４で５０監視用光ファイバーを取り付けた２０固定金具を１０固定箱の１３固定金具装填室に入れる。このとき２０固定金具より突出した５０監視用光ファイバーは１０固定箱の１４光ファイバー取出溝１および１５光ファイバー取出溝２より１０固定箱の外部に出る。この状態で１０固定箱は底面に貼付された１８両面接着テープにて５回路収容箱に固定する。このとき５０監視用光ファイバーは５回路収容箱を巻回している状態または７３周囲の開口部を通して巻回することにより監視状態を構築することになる。この後、１０固定箱からはみ出している５回路収容箱を巻回している５０監視用光ファイバーを１０固定箱と反対の方向に引っ張ることにより、５回路収容箱を巻回している５０監視用光ファイバーは緊張し、たるみがなくなり５回路収容箱に密着する。【００２８】図８、図９において、５０監視用光ファイバーは上記［００２７］の操作にて１０固定箱からある程度の長さのはみ出し部が発生する。この５０監視用光ファイバーは４０通信費光ファイバー支持体に固定された４１送光フアイバー、４２受光ファイバーと光路を整合させるためにその先端部を５１光ファイバーの切断面の様に１０固定箱の１７凸状部１の側面と同一位置の面を構成すべく５２光ファイバーの突出部を切断する。これにて１０固定箱からはみ出していた５０監視用光ファイバーは図９の状態となり４１送光フアイバー・４２受光ファイバーとそれぞれ４３送光ファイバー切断面・４４受光ファイバー切断面にて、光路が一致する状態となる。なお、４０通信光ファイバー支持体は４１送光フアイバー、４２受光ファイバーを装着した工程で前もって１検出箱に接着固定されているが、図示説明の便宜上図９では単体として描いている。【００２９】図１０において、図８、図９で組立てられた１０固定箱は５回路収容箱に１８両面接着テープにて固定されており、すでに３０上蓋に接着固定されている４０光通信ファイバー支持体すなわち３０上蓋兼４０光通信ファイバー支持体を１０固定箱にかぶせて図１１の如く一体化して１検出箱として機能することになる。このとき図１２に示す１０固定箱の両側面に突出している２つの１９嵌合爪が３０上蓋の２つの３９嵌合孔と嵌合し、破壊しない限りは３０上蓋兼４０光通信ファイバー支持体と１０固定箱を分離することができない構造となる。【００３０】図１３において、１検出箱の内部には上記［００２９］にて４０通信光ファイバー支持体と１０固定箱が組み込まれ、５０監視用光ファイバーの両端はそれぞれ４１送光フアイバー、４２受光ファイバーとの間で一連の光路を形成しており、４１送光フアイバー、４２受光ファイバーの末端には６０制御回路に接続すべき４５送光コネクターと４６受光コネクターが取り付けられている。【００３１】図１４において、図１３における１検出箱のＡ面における内部断面を示す。【００３２】図１５において、６１近発光素子は図１４の４５送光コネクターと対面し、６２近赤外受光素子は図１４の４６受光コネクターと対面して近赤外光の送信・受信を行う。６１近赤外発光素子を励起するための電圧を６３発光電圧発生回路で発生させ、６４変調周波数発振回路で発振させた変調信号と共に６５変調回路で電圧振幅をパルス状に変調する。変調のかかった信号は６１近赤外発光素子に送られ近赤外光に変換後、４１送光ファイバーにて送出される。送出された光信号は変調を受けているため外来光とは完全に分離することが出来、また外来光による何たる影響も受けない。４２受光ファイバーにより６０制御回路に帰還した光信号は６２近赤外受光素子によって電気信号に変換され６６復調比較回路に送られる。６６復調比較回路で復調後に変調信号と比較され６０制御回路から送信した変調光であることを認識した場合、６８判定信号発生回路に「正常」の二値信号を送る。６０制御回路から送信した変調光でない場合は「異常」の二値信号を送る。また、６７電源監視回路では常に６０制御回路に供給される電圧を監視しており、異常値が発生すれば６８判定信号発生回路に「異常」の二値信号を送り故意的な電源切断や停電を異常状態として判別している。これらの二値信号は６９インターフェイス回路にて上位機器に適合する値に変換送信される。【００３３】図１６において、７０遊技機に搭載されている５回路収容箱に対して１検出箱を装着し５０監視用光フアイバーを巻回し監視状態を構成している。７１壁面に固定された６制御装置では４１送光ファイバーで監視用の近赤外光を送出し１検出箱から帰還した光信号を４２受光ファイバーで受け、光信号の正否を確認している。６制御装置の出力は８０ホールコンピュータ終端装置を経由して１００ホールコンピュータに送出される。
【図面の簡単な説明】
【００３４】
【図１】光ファイバーによる異常監視システムの概要図
【図２】回路収容箱に取付けた検出箱と監視用光ファイバーでの巻回状況を示す立体図
【図３】固定箱と固定金具による監視用光ファイバーの取り付け順序１を示す立体図
【図４】固定箱と固定金具による監視用光ファイバーの取り付け順序２を示す立体図
【図５】固定金具の５面図
【図６】固定金具の立体図
【図７】固定箱を回路収容箱へ固定し、監視用光ファイバーを巻回緊張させた立体図
【図８】固定箱に装填した固定金具と監視用光ファイバーの終端処理の立体図
【図９】固定箱と通信光ファイバー支持体の位置関係と送光ファイバー、受光ファイバー監視用光ファイバーの位置関係を示す立体図
【図１０】通信光ファイバー支持体と固定箱を検出箱に一体化させる方法の立体図
【図１１】検出箱の内部に通信光ファイバー支持体と固定箱を取り付けた立体図
【図１２】固定箱の立体透視図
【図１３】検出箱に送光ファイバー、送光コネクター、受光ファイバー、受光コネクターを連結し、検出箱全体を組み立てた状態の平面図
【図１４】図１３状態にある検出箱の断面図
【図１５】制御回路の回路構成図。
【図１６】光ファイバーによる異常監視システム全体図
【符号の説明】
【００３５】１      検出箱
５      回路収容箱
６      制御装置
１０    固定箱
１１    光ファイバー挿入孔１
１２    光ファイバー挿入孔２
１３    固定金具装填室
１４    光ファイバー取出溝１
１５    光ファイバー取出溝２
１７    凸状部１
１８    両面接着テープ
１９    嵌合爪
２０    固定金具
２１    光ファイバー固定凹部１
２２    光ファイバー固定凹部２
２３    光ファイバー挿入孔３
２４    光ファイバー挿入孔４
２５    開口部１
２６    開口部２
２７    光ファイバー保持部１
２８    光ファイバー保持部２
３０    上蓋
３３    光ファイバー導入溝１
３４    光ファイバー導入溝２
３８    固定箱装填室
３９    嵌合孔
４０    通信光ファイバー支持体
４１    送光ファイバー
４２    受光ファイバー
４３    送光ファイバー切断面
４４    受光ファイバー切断面
４５    送光コネクター
４６    受光コネクター
４７    凸状部２
５０    監視用光ファイバー
５１    光ファイバー切断面
５２    光ファイバー突出部
６０    制御回路
６１    近赤外発光素子
６２    近赤外受光素子
６３    発光電圧発生回路
６４    変調周波数発振回路
６５    変調回路
６６    復調比較回路
６７    電源監視回路
６８    判定信号発生回路
６９    インターフェイス回路
７０    遊技機
７１    壁面
７２    周囲の構造物
７３    周囲の開口部
８０    ホールコンピュータ終端装置
１００  ホールコンピュータ
【図１】
2007222579.tif 000003
【図２】
2007222579.tif 000004
【図３】
2007222579.tif 000005
【図４】
2007222579.tif 000006
【図５】
2007222579.tif 000007
【図６】
2007222579.tif 000008
【図７】
2007222579.tif 000009
【図８】
2007222579.tif 000010
【図９】
2007222579.tif 000011
【図１０】
2007222579.tif 000012
【図１１】
2007222579.tif 000013
【図１２】
2007222579.tif 000014
【図１３】
2007222579.tif 000015
【図１４】
2007222579.tif 000016
【図１５】
2007222579.tif 000017
【図１６】
2007222579.tif 000018